(57)【特許請求の範囲】
【請求項１】
燃料計量バルブを収納する筐体と、
前記燃料計量バルブとの流体連通状態で前記筐体の中に収容されるよう形成された燃料セルであって、当該燃料セルからアダプターを回転して取り外すことを試みるならば前記アダプターが破損するように前記アダプターに取り外し不能に固定される燃料セルと、
前記燃料計量バルブとの前記流体連通状態において前記アダプターを解放可能に固定するために前記筐体内に配置されたラッチと、を具備し、
前記燃料セルは、前記アダプターと前記ラッチとの係合により前記筐体内に保持され、  前記アダプターは、ノズルとベースとを具備し、
前記ノズルおよび前記ベースは、複数のサポートリブにより一緒に固定され、
前記サポートリブは、前記燃料セルから前記アダプターを回転して取り外すことを試みるならば、せん断破壊を受けることにより前記燃料セルから前記アダプターが取り外されることを防止するように形成される、燃焼工具。
【請求項２】
前記アダプターは非円形形状部分を有し、
前記ラッチは、前記アダプターの挿入または取り外しの際に前記非円形形状部分を収容するよう形成されたブラケットを有し、
前記アダプターが回転された時に前記工具からの前記アダプターの取り外しが防止されるように前記ブラケットが形成されている、
請求項１に記載の燃焼工具。
【請求項３】
前記非円形形状部分は、周方向に離間された複数の突起部を有し、
前記ブラケットは、内側方向に放射状に突出して離間する複数の耳部を有する開口部を形成し、
前記アダプターが挿入または引き出される際に前記突起部が前記耳部の間を通過することができ、前記アダプターが回転された時に前記アダプターの引き出しを防止するために前記耳部が前記突起部と係合するように、前記耳部は構成および配置される、
請求項２に記載の燃焼工具。
【請求項４】
前記ラッチは、前記燃料計量バルブとの係合状態において前記アダプターを解放可能に保持するための少なくとも一つの付勢固定部材を有する、請求項１に記載の燃焼工具。
【請求項５】
前記ラッチは、押圧および回転動作により前記アダプターを受け入れ保持するように形成されたブラケットを有し、前記固定部材が前記アダプターの回転を防止するために前記アダプターに係合するように構成および配置されている、請求項４に記載の燃焼工具。
【請求項６】
前記アダプターは、周方向に離間された複数の突起部を有し、前記固定部材は隣接した前記突起部の間で前記アダプターと係合する、請求項５に記載の燃焼工具。
【請求項７】
前記固定部材は、前記燃料セルの手動の捩じりにより打ち負かされる付勢力を前記アダプターに対して及ぼす、請求項５に記載の燃焼工具。
【請求項８】
前記固定部材は、前記燃料セルの解放を許可するために手動の解放が可能である、請求項５に記載の燃焼工具。
【請求項９】
前記ラッチは、閉じ位置と開き位置との間で可動な少なくとも一つの固定用舌部を持つラッチ本体と、前記アダプターとの前記係合を解放し前記工具から前記燃料セルを引き出すことを許可するために、前記少なくとも一つの固定用舌部を移動させるための解放部材とを有する、請求項１に記載の燃焼工具。
【発明の詳細な説明】
【０００１】
【発明の属する技術分野】
本発明は、燃焼工具に使用されるための燃料セルアダプター装置の改善に関する。
【０００２】
【従来の技術】
ガスの燃焼を動力源とする工具、たとえば、ガス燃焼を動力源とした締結駆動工具へ、炭化水素燃料を分配するために、分配器を使用することが公知である（例えば、特許文献１，２，３および４参照）。このような締結駆動工具および燃料セルは、イリノイ州のバーモンヒルを拠点とするITW-Paslode社（Illinois Tool Works社の一部門）から“IMPULSE”という商標で市販品として入手可能である。とりわけ、適当な燃料セルは、ニコリックの米国特許第5,115,944号の中で記述されている。
【０００３】
燃焼工具に燃料セルを装着するための標準的な装置が公知であり、この装置はアダプターを持たずして、計量ユニットを持った燃焼工具内に、燃料セルを設置するものであり、アダプターは備えていない。この装置では、小型化する利点を有するが、ゴミやその他の破片などから、メス状計量装置の入り口を保護しない。また、アダプターを使用していないと、燃料セルを輸送するために、保護キャップまたは包装材が必要となる。
【０００４】
燃焼工具のための、もう一つの公知の燃料セル装着装置が存在し、その装置では、シールサポートが、燃料セルに取り付けられ、燃料セル軸と燃焼工具からのオス状接合部とを結合するためのシールを形成する。しかし、このアダプター装置では、ゴミや他の破片から燃料セルを保護しない。もう一つの欠点は、このアダプターの存在のみでは、燃料セルの寿命と容量とを減少させると思われることである。さらに、このアダプターにおけるもう一つの望ましくない特質は、現状使用している燃料セルから外すことができ、一般的な燃料セルとともに再使用できることである。
【０００５】
一般的な燃焼工具の燃料セルにおける一つの欠点は、燃料セルと工具の燃料計量バルブとの対応する軸または通路の整列のために用いられる一般的な整列構造が、それらの通路の整合した同軸整列を提供しないことであり、これは、燃料を浪費し、燃料セルの寿命を低下させ、最適な工具性能を損なうことをもたらしかねない。
【０００６】
一般的な燃焼工具の燃料セルにおけるもう一つの欠点は、多くの場合において、使用者が、使い果たした燃料セルに一般的な燃料を補充することを試みるかもしれないことである。このことは、工具の動作を損うことがある。従って、補充を阻止するように形成された燃焼工具の燃焼セルのためのアダプターの必要性がある。
【０００７】
【特許文献１】
米国特許第4,403,722号
【特許文献２】
米国特許第4,483,474号
【特許文献３】
米国特許第4,522,162号
【特許文献４】
米国特許第5,115,944号
【０００８】
【発明が解決しようとする課題】
それゆえに、本発明の一つの目的は、使用期間中に、ゴミやその他の破片から燃料セルを保護するように改善された燃料セル装着装置、すなわち、燃料セルアダプターを提供することである。
【０００９】
もう一つの目的は、輸送中、燃料セルの軸を保護し、保護キャップまたは包装材の必要性を排除するように改善された燃料セルアダプターを提供することである。
【００１０】
更なる目的は、燃料セルが未使用か否かの視覚的な識別をもたらすことを可能とするように改善された燃料セルアダプターを提供することである。
【００１１】
本発明における、更なるもう一つの目的は、係合位置で燃料セルを解放可能に保持する燃焼工具内のラッチを特徴とする改善された燃焼工具を提供することである。
【００１２】
本発明における更にもう一つの目的は、燃料セルから取り外すことができず、一般的な燃料セルとともに再使用することができないように改善された燃料セルアダプターを提供することである。
【００１３】
本発明における更なる目的は、使い果たした燃料セルの補充を禁止するように改善された燃料セルアダプターを提供することである。
【００１４】
本発明における更にもう一つの目的は、燃料セルアダプターをしっかりと受け入れ、工具内の適当な作動位置にアダプターを解放可能に固定するように改善された工具用固定装置を提供することである。
【００１５】
【課題を解決するための手段】
上述した目的は、本発明の燃焼工具用燃料セルアダプター装置によって満足され、十分に実現される。本装置は、輸送中において、燃料セルを保護するために自由端部に脆い膜を有しているアダプターと、ラッチと係合するように形成された把持構造と、工具内の燃料計量バルブとの係合において燃料セルを解放可能に保持する燃焼工具内のラッチング機構とを特徴とする。本ラッチング機構は、装置全体の大きさの小型化を維持しつつ、燃料セルの取り付けおよび取り外しを容易にする。さらに、アダプター前面の突出部は、燃料計量軸を燃料セル筐体に軸方向に一致して整列させる様に形成されている。本燃焼工具用燃料セルアダプターのもう一つの特徴は、機械的に押圧された時に、燃料セル筐体の縁部内にはめ込まれ、燃料セルアダプターと燃料セル筐体との間に固定取り付けを形成する拡大ベースである。本発明における更なる特徴は、燃料セル筐体から燃料セルアダプターの取り外しを試みた際に生じるせん断破壊を受ける、一組の脆いリブである。
【００１６】
輸送中の燃料セルの保護に加えて、本アダプタ−装置では、燃焼工具の使用期間中に、ゴミや破片から燃料セルを保護する。燃料セルアダプターの前面に位置する突出部は、係合部からゴミ、破片、その他不純物の除去を可能とするように、燃料セルアダプター前面と燃料セル表面との間の接触面の完全な同一平面化を防止する。さらに、アダプターの脆い膜は、燃料セルが未使用か否かを視覚的に明らかにする。
【００１７】
本発明のもう一つの利点は、燃料セルから本アダプターを取り外す試みがなされた場合、燃料セルとの機械的な固定は維持して、燃料セルアダプターの先端部分の分離、さもなければ、燃料セルアダプターのベース部分からの構造的な弱体化を引き起こすせん断破壊を、燃料セルアダプターの接続リブが受けることである。リブのせん断破壊により、燃料セルアダプターは、他の燃料セルへの再使用ができなくなる。この特徴は、再使用時の結合を妨害する可能性のあるゴミ、破片、不純物の侵入の機会を減らす。
【００１８】
本装置におけるもう一つの特徴は、アダプターを受け入れて適当な作動位置で解放可能に固定する工具の固定機構である。好適な実施例では、燃料セルが空になったならば、使用者は、固定力に打ち勝つように、燃料セルを単に回転させ、工具から簡単に燃料セルを引き出す。
【００１９】
更に、本発明は、燃焼工具の燃料計量バルブ上に係合可能で、燃料セルへの係合のために形成されたベースおよび、バルブへの係合を容易にするように形成された突出自由端部を有しベースに結合されているノズルを、備えているアダプター本体を有している燃料セルとの接合のために形成された燃料セルアダプターを提供する。
【００２０】
本発明は、燃料セルアダプターを燃料セル容器の縁部に取り付ける拡大ベースも提供する。燃料セルアダプターが、燃料セル容器に取り付けられるように機械的に押圧された時、燃料セルアダプターのベース上の周囲にあるくさび部が、燃料セル容器の内径上に位置する巻き返し継ぎ目の下側において縁部で係合する。
【００２１】
本発明のもう一つの実施例は、ほぼ筒状のノズルおよび燃料セルへの係合のために形成されたベースを備えて、そのノズルはベースに結合されているアダプター本体を有する燃料セルとの結合のために形成された燃料セルアダプターである。更にアダプター本体は、ラッチによる係合のために形成された把持構造を有している。
【００２２】
ノズルは複数の突起部、複数の突出部、そして複数のサポートリブを有している。それぞれの突起部は傾斜して、自由端部からベース方向に延在する形状を有し、切頭突起端部を有している。複数の突出部は、アダプターと燃料セルとの軸方向の整列を導くために面取りされている。それぞれのサポートリブは、切頭リブ端部を有し、ベースにノズルを結合する様に形成されている。
【００２３】
本発明は、燃料計量バルブと、燃料計量バルブとの流体連通のために筐体内に収容されるよう形成されたアダプターを備えた燃料セルとを、収納する筐体を有している燃焼工具を提供する。ラッチは、燃料計量バルブとの流体連通状態においてアダプターを解放可能に固定するように筐体内に配置されている。ラッチは、閉じ位置と開き位置との間を可動な少なくとも一つの固定用舌部を持つラッチ本体を有している。また、アダプターとの係合を解放し、工具から燃料セルを引き出すことを可能とするように固定用舌部を移動させるための、解放部材が設けられている。
【００２４】
【発明の実施の形態】
図１を参照すると、本発明を使用するのに適したタイプの燃焼工具が、全体的に、１０で示されている。工具１０は、燃料計量バルブ１３を収納する筐体１１と、燃料セル１４を解放可能に収容する燃料セル室１２とを有している。工具１０の構成や操作については、上述した特許に詳細に記述されている。
【００２５】
図２と図３において、全体的に１６で示された燃料セルアダプターは、燃料セル１４との接合のために形成されて、燃料セル室１２内における燃料セルとの係合を容易にする。アダプター本体１８は、ほぼ筒状のノズル２０と燃料セル１４との係合のために形成されたベース２２とを有しており、ノズルはベースに結合されている。ノズル２０は、自由端部２４を有し、通路２６を形成し、脆い膜２８が通路２６を閉鎖している。この脆い膜２８は、空気の逃げ道となる穴２９を有し、破損した時にアダプターが使用後であることが目視で判るように、好ましくは、ノズル２０の自由端部２４に、または自由端部に隣接して配置される。しかしながら、通路２６に沿った他の位置も、膜２８の配置として考えられる。好適な実施例では、穴２９の直径は、約0.254ｍｍ（0.010インチ）であるが、直径の大きさは、適用により変化させて良い。アダプター本体１８においてノズル２０は、複数の突起部３２と複数のサポートリブ３４とを有している。突起部３２のそれぞれは、傾斜形状を有しており、自由端部２４からベース２２の方向への傾斜形状で延在しており、切頭突起端部３６を有している。ほぼＬ型形状であるサポートリブ３４のそれぞれは、切頭リブ端部３８を有し、ノズル２０をベース２２に結合するように形成されている。好適な具体例においては、個々の突起部３２とサポートリブ３４は、互いから周方向に離間しており、突起部とサポートリブとが互いに軸方向に一直線とならない様に、サポートリブ３４に関連して突起部は、千鳥配置されている。
【００２６】
好適な実施例では、アダプター１６は、筐体１１の燃料セル室１２内に配置されたラッチにより係合されるように形成された把持構造４０を備えている。この把持構造４０は、多様な形状を有して良い。図２から図４に図示されている実施例では、対応する突起部３２の切頭突起端部３６とサポートリブ３４の切頭リブ端部３８とは、ノズル２０上に配置された溝４０を形成する。アダプター本体１８が、まさに記述したような溝の形状の把持構造４０を有していることが望ましいが、アダプター本体１８から、ほぼ放射状に延在するリブまたは突起を選択的に把持構造とすることも考えられる。そのような突起は、環状のリブを形成するか、または、個々に離間する突起部またはリブの一部でも良い。
【００２７】
好適な実施例においても、突起部３２は、互いに関して放射状に離間しており、サポートリブは、互いに関して放射状に離間している。また、突起部３２は、軸方向に斜めとされ、別の言葉で言うと、向かい合って対応するサポートリブ３４に関して、軸方向に整列されていない。図２および図３で示されているように、千鳥配置の関係が、突起部３２とサポートリブ３４との間に確定されている。
【００２８】
燃料セル１４を摩擦係合させるような形状のベース２２上に形成されたかかり部３０が少なくとも一つある。好適な実施例においては、ベース２２の外面回りに放射状に延在する形態で、複数のかかり部３０が設けられている。
【００２９】
図３,７および８に示されているように、アダプター本体１８は、通路２６の中にはまり込む成形インサートシール４４を収容している。成形インサートシール４４は、軸方向通路４６（図８に最もよく示されている）を形成し、燃料セル軸５０を受け入れるように形成された第一端部４８と、軸方向通路に設けられた一対の内部シーリングリング５４を備える第二端部５２とを有する。好適な実施例においては、第一端部４８は、第二端部５２より大きな直径を有していることが理解される。
【００３０】
燃料セル１４へアダプター１６を設置するために、成形インサート４４は、アダプター本体１８内にはめ込まれ、通路２６に収容される。アダプター１６は、燃料セル軸の先端部５６（図２、３および４）が、成形インサート４４中へ滑り込んで、一対の内部シーリングリング５４の間に位置するように、燃料セル軸５０上に設置される。燃料セル１４上へアダプター１６をしっかりと取り付けるために、ベース２２は、機械的に圧縮され、ベース上のくさび部３０が、巻き返し継ぎ目にひっかかり摩擦係合するように、燃料セルの巻き返し継ぎ目５８（図２および３）上に押し下げられる。図４に示されているように、アダプター１６は、巻き返し継ぎ目５８の縁部の下側でくさび部３０により、燃料セル１４の上にしっかり固定される。
【００３１】
この装置が燃焼工具１０内に設置される前の燃料セル１４上の所定位置におけるアダプター１６では、脆い膜２８は、まだ無傷（突き通されていない）であり、このことは輸送中に燃料セルを保護する利点をアダプターにもたらす。この利点により、保護用の燃料セルキャップは不必要となる。もう一つの利点は、無傷の脆い膜２８が、燃料セル１４が未使用であることの視覚的識別をもたらすことである。
【００３２】
図１,４,５および６を参照すると、燃料セル１４には、アダプター１６が設けられ、燃料セルは、燃料計量バルブ１３と流体連通状態にするように、ハウジング１１に収容されるように形成されている。ここで図示されている燃料計量バルブ１３は、従来において公知ないくつかの実施例のひつとにすぎない。本装置の特徴は、燃料計量バルブ１３との流体連通状態においてアダプター１６を、解放可能に固定するために、筐体１１内に配置された図４,５および６に示されているラッチ６０である。
【００３３】
ラッチ６０は、閉じ位置（図５）と開き位置（図６）との間を可動な少なくとも一つの好ましくは２つの、固定用舌部６４を備えているラッチ本体６２を有している。閉じ位置において、舌部６４は、筐体１１内でアダプター１６を固定する。また、アダプター１６との係合を解放し、工具１０から燃料セル１４を引き出すことを可能にするために、固定用舌部６４を動かすための、解放部材７０が設けられている。図５、６において示されるラッチ６０の好適な実施例では、固定用舌部６４は、閉じ状態へ付勢されているが、固定用舌部は、開き位置で付勢されるように配置することも可能である。また、ラッチ６０内の二つの固定用舌部６４は、互いに対向した関係となるよう配置されていることが望ましい。
【００３４】
さらに図５および６を参照するとラッチ６０の好適な実施例では、解放部材７０として押しボタン７２を有し、この押しボタンは、固定用舌部６４に係合するための、ほぼ円形に隆起されたボス７４を有する。ボス７４は、突起部７５との摩擦接合、接着材、または従来公知の他の固定具により、押しボタン７２に固定される。また好適なラッチ６０においては、固定用舌部６４のそれぞれは、ボス７４が閉じ位置で舌部を押圧する付勢力に逆らって軸方向に移動する時に、次第に離間する傾斜面７８を持つ接触端部７６を有している。好適な実施例では、付勢力は、外側位置へボタンを付勢するように、ラッチ本体６２と押しボタン７２とに掛かる室８１内に設置された一対の圧縮バネ８０より提供される。バネの部材、配列、強さは、使用に適合して、変えてよいことが意図されている。
【００３５】
ラッチ６０において、それぞれの固定用舌部６４は、肩部８４を形成する外側端部８２を有している。また、アダプター１６の溝４０に係合するための、表面８８を形成する内側端部８６も設けられている。好適な実施例では、表面８８は、ほぼ円形であるノズル２０を良好に把持するように、円弧形状である。しかし、表面８８、および／または、端部８６の形状は、上述したような把持構造４０に代わる形状に、積極的に係合するように、変更しても良い。
【００３６】
図５,６において、固定用舌部６４は、接触端部７６と反対側に回転軸端部９０を有している。回転軸端部９０は、穴９２を有しており、ラッチ本体６２の内側に固定用舌部を保持し、開き位置と閉じ位置との間で固定用舌部が回転することを可能とする回転軸ピン９４が、固定用舌部６４に取り付けられている。また、この実施例では、押しボタン７２には、図５に示されている様に、閉じ位置へ固定用舌部を付勢するように、固定用舌部６４の肩部８４に係合および当接する一対の保持ピン９６が設けられている。また、それらの保持ピン９６は、バネ８０の力により、押しボタン７２が筐体１１から外れることを阻止する。また、保持ピン９６は、固定用舌部６４のための止め部材としても機能する。図６に示されるように、固定用舌部６４は、回転軸端部９０が保持ピン９６に当接するまで、回動開きが許される。回転ピン９４および保持ピン９６の両方は、通常、互いに平行に配置され、固定用舌部６４により形成された平面に垂直である。
【００３７】
使用の際には、燃料セル１４とアダプター１６との組立体が、工具１０の燃料セル室１２内に設置される。燃料セル室１２内で、ノズル２０が、ラッチ６０に接触すると、次に、使用者は、燃料セル１４を内側へ押し込む。突起部３２の傾斜形状は、固定用舌部６４を別々に広げる。切頭突起端部３６が、付勢された固定用舌部６４を通過した時、固定用舌部は閉じられ、突起端部が固定用舌部の上側に、また、切頭リブ端部３８が固定用舌部の下側に、位置されるように、内側端部８６は、溝４０、またはアダプター１６の他の把持構造形状に係合する。この位置において、アダプター１６は、工具１０の内部にしっかりと保持される（図４に最もよく示されている）
【００３８】
図４に示されている燃料セル室１２において、燃料セル１４とアダプター１６とは、ラッチ６０に固定されている。アダプター１６がラッチ６０に固定されるようになると、燃料計量バルブ軸が、一対の内部シーリングリング５４の間において、燃料セル軸５０と整列され、望ましくは当接するように、燃料計量バルブ軸９８は、脆い膜２８を貫通する。この配置は、燃料セル１４と燃料計量バルブ１３との間の密閉された流体連通を可能にする。
【００３９】
使用中において、脆い膜２８は、ゴミやその他の破片から燃料セル１４を保護する利点を有する。ラッチ６０は、燃料計量バルブ１３との係合位置において、アダプター１６および燃料セル１４を保持するので、アダプター装置全体は、非常に小型化され、かつ、燃焼工具のいくつかの型式で見られるような、セル室の背面ドア、または、終端キャップが必要とされない。
【００４０】
使用者が、工具１０から燃料セル１４を取り外すことを必要とするとき、ボス７４が、固定用舌部６４の傾斜面７８を押圧しながら内側に移動されると、回転軸端部９０が保持ピン９６に当接するまで固定用舌部を次第に広げ、そして、固定用舌部が溝４０から解放されるように、使用者は、バネ８０に逆らって内側に押しボタン７２を単純に押す。この開き位置６８において（図６に最も良く示されている）、固定用舌部６４の内側端部８６は、アダプター１６の突起部３２が自由に通り抜けできるように十分に大きく開かれることをもたらし、そして、燃料セル１４は、燃料セル室１２から取り外しが可能となる。アダプター１６が、使い果たした燃料セル１４とともに、燃料セル室１２から引き出されるとき、燃料計量バルブ軸９８は、燃料セル１４が使用されたことを視覚的に示す貫通された脆い膜２８を残す。
【００４１】
ラッチ６０の形状は、燃料セル１４の取り付けと取り外しとが、使用者の立場で考えられおり、このような燃焼工具の電池の取り付けと取り外しと同等である。もう一つの利点は、アダプター１６が、サポートリブ３４を破壊すること無しに、燃料セル１４から取り外すことができないことであり、それゆえに、他の燃料セルに再使用することができないことである。
【００４２】
図９および１０を参照すると、本アダプターのもう一つの実施例が、全体的に１００で示されている。アダプター１００は、アダプター１６と類似しており、共通する構成要素は、同一の参照番号で示されている。アダプター１００は、アダプター１６の特徴のすべてを取り込むことが意図されている。アダプター１００の一つの特徴は、ノズル２０の自由端部２４が、バルブ軸９８上での係合動作を容易にする複数の突出部１０２を備えていることである。好適な実施例では３つの突出部が存在しているが、２つ以上の任意の数量の突出部があれば良い。
【００４３】
それぞれの突出部１０２は、上端面１０４、外壁１０６、内壁１０８そして一対の側面壁１１０を有している。突出部１０２は、材料の節約、アダプター１００とバルブ軸９８に対向する表面の閉塞を防ぐために、自由端部２４上に周方向に離間されている。好適な実施例においては、必要とされてはいないが、突出部１０２のそれぞれは、対応する突起部３２と協働する。また、バルブ軸９８とノズル２０との適切な同軸の係合を容易にするために、膜２８の方向に傾斜している突出部１０２の内壁１０８は、面取りされている。言い換えると、内壁は、係合を容易するための位置決めを行う。最終的には、通路２６とバルブ軸９８の貫通口１１２は燃料セル１４から計量バルブ１３への燃料移送を可能とするよう軸方向に整列される。
【００４４】
突出部１０２のもうひとつの特徴は、それらのそれぞれが、ノズル２０から軸方向に突出する同じ長さ、または、脆い膜２８から上端面１０４までの同じ距離を有していることである。組み立て状態で、上端面１０４は、対向する計量バルブ１３の表面１１４と係合する（図１０）。このように、燃料セル１４と計量バルブ１３との適切な整列が得られ、その一方で、使用者が空気を吹きかけたり、吸引することなどによって、異物や破片を簡単に除去することができる、２つの構成部品間の隙間を形成する。また、突出部１０２は、それぞれに、突起部３２の対応する一つと整列され、または、協働することが好ましく、図示された実施例では、それぞれの突起部３２と協働する突出部１０２が存在している。
【００４５】
また、アダプター１６を基礎とする本アダプター１００のもう一つの特徴は、離間したサポートリブ３４が、ベース２２へのノズル２０の固定位置にあり、もし使用者が燃料セル１４からアダプターを取り外すことを試みるならば、破損するように形成されていることである。リブ３４のせん断破壊により、燃料セルアダプター１００、１６は、再使用において接合を妨害する可能性のあるゴミ、破片また不純物の侵入を排除し、他の燃料セル１４上で再使用されることができない。また、本アダプター１６、１００の一回限定使用の本質は、工具１０の最適な動作を妨げる補充されたまたは一般的な燃料セルの使用を禁止する。サポートリブ３４のせん断破壊は、リブの形状、大きさ、厚さ、材質成分の変更により、または、リブ構造への切れ目または他の不均一性を加えることにより、引き起こされることが意図されている。サポートリブ構造３４は、使用中において、燃焼の衝撃とガス燃料の圧力に耐えるのに十分な強度を維持する一方で、取り外し時においてリブ位置で材料破壊を引き起こすような、従来公知の他の任意の手段を含むべきである。
【００４６】
アダプターのための基本的な形状因子は、放射状に離間するリブ３４がノズルをベース２２に保持すること以上にしっかりと、ベース２２がアダプター１６、１００を燃料セル１４に保持するように、リブ３４が形成されている。こうして、燃料セルからアダプターを取り除く試みにおいては、ノズル２０上にトルクが発生し、ノズルはベースから切り離される。ノズル２０がベースに保持される以上にしっかりと、ベース２２を燃料セルに保持する一つの要因は、ベースの周囲形状によって、前述のベース上に形成され、かつ、燃料セルを摩擦係合するように形成された少なくとも一つのかかり部、またはくさび部３０を有することである。好適な実施例においては、くさび３０は、ベース２２の外周に配置され、燃料セル１４の内径よりわずかに大きい直径である。圧縮および機械的な設置時において、ベースを燃料セル１４にしっかりと係合させる巻き返し継ぎ目５８の下側において、くさび部３０は、燃料セルと、隙間ない状態で適合する。必要ならば、計量バルブ軸９８と燃料セル先端部５６の対向した端部に、Ｏリングのようなシール１１６が設けられて良い。シール１１６は、保持形態１１８、または他の公知の固定技術により、軸９８または先端部５６の一つに保持される。
【００４７】
図１１および１２を参照すると、工具筐体１１のもう一つの実施例は、全体的に１２０で示されており、上述のアダプター１６、１００、および工具１０の他の操作態様と互換性をもつことが意図されており、また、燃料計量バルブ１３に関しての作動位置において、燃料セルアダプター１６、１００をしっかりと保持する解放可能な固定構造１２２を特徴としている。同時に、固定構造１２２は、使用者による容易な燃料セルの挿入および引き出しを可能とするように形成されている。
【００４８】
さらに詳細には、固定構造１２２が、燃料計量バルブ１３との流体流通状態において、アダプター１６、１００を解放可能にしっかりと固定するためのラッチを形成している。ノズル２０と突起部３２を有する、アダプター１６、１００の非円形形状部分を受け入れるように形成されたブラケット１２４が、固定機構の中に含まれる。ブラケット１２４は、金属またはプラスチックなどの適切な強固な材料から形成され、圧入、超音波溶接、化学的接着、適当な溝、または他の任意な通常の取り付け技術により、筐体１１内に固定される。また、アダプター１６、１００との係合時において、適切な整列と流体連通が、アダプターと燃料計量バルブ１３との間で達成されるように、ブラケット１２４は、筐体１２０内に配置されると理解される。
【００４９】
好適な実施例においては、ブラケット１２４は、内側方向に放射状に突出して、離間する複数の歯部、または耳部１２８を備える開口１２６を形成する板形状を有する。耳部１２８は、アダプターを挿入または引き出すときに、アダプター１６、１００の突起部３２が、隣接した耳部の間を通過することができるように、構成および配置されている。筐体１２０からの、または、燃料計量バルブ１３との係合からのアダプターの引き出しを防止するように、耳部１２８は、使用者によるアダプター１６、１００の軸回転により、突起部３２に、好ましくは突起端部３６に係合する。
【００５０】
更にもう一つの固定構造の特徴は、アダプターがブラケット１２４内で係合された時に、アダプター１６、１００を燃料計量バルブ１３との係合状態に解放可能に固定するための少なくとも一つの付勢固定部材１３０である。特に、固定部材１３０は、工具の使用中において、アダプター１６、１００の望ましくない回転または取り外しを防止するために、構成および配置されている。この構成および配置により、固定部材１３０は、燃料セルの交換が必要になったときのような必要性が生じた時に、アダプター１６、１００および燃料セル１４との解放および取り外しを可能するために形成されている。
【００５１】
図１１,１２に図示されているように、対応する開口１３２への摩擦接合状態での挿入により、固定部材１３０は、筐体１２０内で固定される。筐体内で固定部材１３０を固定するために、限定されることはないが、ロックナット、化学的接着および超音波溶接等の更なる手段が使用されても良い。アダプターが、開口１２６を通して挿入され、突起部３２と耳部１２８との間での係合を提供するのに十分に回転された時、固定部材１３０は、アダプター１６，１００に係合するよう方向付けられる。好適な実施例では、固定部材１３０は、隣接した突起部３２の間でアダプターに係合する。
【００５２】
固定部材１３０の適当な構造は、バネ（図示せず）により提供されるような付勢力により先端部１３６がそれ内で往復運動する筒または、管１３４である。開口１２６を通したアダプター１６、１００の挿入時において、先端部１３６は、突起部３２が付勢力に打ち勝つことにより押し下げられる。アダプター１６、１００が回転されると、突起部が移動し、先端部は、隣接した突起部の間の隙間の間で延在可能である（図１２で最も良く示されている）。また、燃料セル１４の引き出し前に固定部材の手動解放を実現するために、使用者による接近可能とする取っ手１３８（図１２に想像線で図示されている）に、ピンが連結されるように、固定部材１３０が形成されるように意図されている。
【００５３】
図１１および１２の実施例の動作においては、突起部３２が耳部１２８の間を通過し、ノズル２０が開口１２６に係合するように、使用者は、アダプター１６、１００の取り付けられた燃料セル１４を、筐体内へ単に挿入する。次に、突起部３２が耳部１２８と係合し、アダプタ-１６、１００が動作位置になるように、使用者は、燃料セル１４を回転する。固定部材１３０の付勢力は、通常の工具動作中のアダプター１６、１００の動きが抑制されるようなものである。取り外しのために、燃料セル１４を使用者が回転すると、付勢力に打ち勝ち、先端１３６は後退する。
【００５４】
このように、本燃料セルアダプター１６とラッチ６０は、輸送中に、燃料セル軸５０を保護し、また、工具１０が使用されている間、ゴミや他の破片から燃料セル１４を保護する改善された燃料セルアダプター装置を提供することがわかる。また、改善された本燃料セルアダプター装置は、装置全体の小型化の維持し、燃料セル１４の設置および取り外しの使い勝手を良くする。更に、本発明は、燃料セルを使用済みか否かを識別し、また、本アダプターは一般的な燃料セルに再使用できない。
【００５５】
燃料セルアダプター装置の特定の実施例が、図示されて記述されてきたが、より広い態様および特許請求の範囲おける本発明から逸脱しない変形および変更が可能であることは、当業者により理解される。
【図面の簡単な説明】
【図１】本発明を取り込む燃焼工具の斜視図である。
【図２】本アダプターおよび燃料セルの部分分解斜視図である。
【図３】本アダプター、成形インサートシールおよび燃料セルの部分分解斜視図である。
【図４】燃料セルと係合したアダプターおよび成形インサートシールと、燃焼工具の中でアダプターと燃料セルとを保持しているラッチと図示する燃料セルアダプター装置の部分垂直断面図である。
【図５】全体的に図示された方向において、閉じ位置でのラッチを示す図４の線５-５に沿って切った断面図である。
【図６】全体的に図示された方向において、開き位置でのラッチを示す図４の線５-５に沿って切った断面図である。
【図７】成形インサートの正面図である。
【図８】全体的に図示された方向において、図７の線８-８に沿って切った断面図である。
【図９】本アダプターの、もう一つの実施例の正面斜視図である。
【図１０】燃料セルと係合するアダプターを示す図９の実施例における部分垂直断面図である。
【図１１】アダプター固定機構を特徴とする本工具のもう一つの実施例の分解斜視図である。
【図１２】図11の実施例の組付図である。
【符号の説明】
１０…燃焼工具
１１…筐体
１３…燃料計量バルブ
１４…燃料セル
１６…燃料セルアダプター
１８…アダプター本体
２０…ノズル
２２…ベース
２４…自由端部
２６…通路
２８…脆い膜
３２…突起部
６０…ラッチ
６２…ラッチ本体
６４…固定用舌部
７０…解放部材
１０２…突出部
１２４…ブラケット
【図１】
0004180883.tif 000002
【図２】
0004180883.tif 000003
【図３】
0004180883.tif 000004
【図４】
0004180883.tif 000005
【図５】
0004180883.tif 000006
【図６】
0004180883.tif 000007
【図７】
0004180883.tif 000008
【図８】
0004180883.tif 000009
【図９】
0004180883.tif 000010
【図１０】
0004180883.tif 000011
【図１１】
0004180883.tif 000012
【図１２】
0004180883.tif 000013